(57)【要約】【課題】  トイレ用のスリッパにおいて、スリッパの前面に飛び散った小便の飛散箇所にズボンの裾が接触しないように形成されたズボン裾防護スリッパを提供する。【解決手段】  本発明のズボン裾防護スリッパ１は、汎用スリッパ２の前面カバー２ａに飛び散った小便の飛散箇所３にズボン裾４の接触を防止するように形成されたズボン裾防護壁５を備え、このズボン裾防護壁５は、汎用スリッパ２の前面カバー２ａの甲側の端面２ａａから上方へ立設されている。また、前面カバーの足の甲側の端面から前面カバーと一体で形成されている。これによって、前面カバーに小便が飛散するような場合でも清潔・安心なスリッパとして、トイレ用スリッパの履き心地の向上、汚れの清掃、共通使用による衛生面をさらに考慮したスリッパを提供することができる。【選択図】図１
2019017710.tif 000002
【特許請求の範囲】
【請求項１】
汎用スリッパ（２、１２、２２、３２）の前面カバー（２ａ、１２ａ、２２ａ、３２ａ）に飛び散った小便の飛散箇所（３）にズボン裾（４）の接触を防止するように形成されたズボン裾防護壁（５、１５、２５、３５）を備えたことを特徴とするズボン裾防護スリッパ（１、１１、２１、３１）。
【請求項２】
前記ズボン裾防護壁（５、１５、２５、３５）は、前記汎用スリッパ（２、１２、２２、３２）の前面カバー（２ａ、１２ａ、２２ａ、３２ａ）の甲側の端面（２ａａ、１２ａａ、２２ａａ、３２ａａ）から上方へ立設されていることを特徴とする請求項１に記載のズボン裾防護スリッパ（１、１１、２１、３１）。
【請求項３】
前記ズボン裾防護壁（３５）は、前記汎用スリッパ（３２）の前面カバー（３２ａ）の甲側の端面（２ａａ）から上方へ立設され、前記前面カバー（３２ａ）と一体で形成されていることを特徴とする請求項１に記載のズボン裾防護スリッパ（３１）。
【発明の詳細な説明】
【技術分野】
【０００１】
本発明は、トイレ用のスリッパに関し、特に、スリッパの前面に飛び散った小便の飛散箇所にズボンの裾が接触しないように形成されたズボン裾防護壁を備えたズボン裾防護スリッパに関する。
【背景技術】
【０００２】
図６は、従来のトイレ用の汎用スリッパの斜視図である。図６に示すように、スリッパカバー１０１は、汎用スリッパ１０２に容易に取り付けて使用するために、汎用スリッパ１０２の側面溝１０４に、伸縮性によって外れることのない長さに調整されたゴム紐などの固定用伸縮紐の輪１０５を縫い止め糸１０６で取り付けられている。
この側面溝１０４はスリッパの中敷１０７と底板１０８とによって形成された側面溝であり、この側面溝１０４を一周させた伸縮紐の輪１０５を外れないように長さを調整して縫い付けたスリッパカバー１０１を汎用スリッパ１０２に取り付けて使用する。
このように、スリッパカバーは、スリッパ中敷と底板の側面に外れないように長さが調整されて取り付けられた伸縮紐の輪で取り付けられているので、足による力が加わっても伸縮紐の伸縮性によって元の固定状態に復元して、ずれたり外れたりすることなく使用できる。また、このスリッパカバーはスリッパに容易に取り付け取り外しをすることができて汚れの清掃などができて衛生的である（特許文献１参照）。
【先行技術文献】
【特許文献】
【０００３】
【特許文献１】特開２０１５−１６４４５２号
【発明の概要】
【発明が解決しようとする課題】
【０００４】
しかしながら、スリッパの使用に対する履き心地の向上、汚れの清掃、共通使用による衛生面をさらに考慮したスリッパが求められていた。
本発明はこのような事情に鑑みてなされたものであり、スリッパの前面に飛散した小便の飛散箇所にズボン裾が接触しないようなズボン裾防護スリッパを提供することを課題とする。
【課題を解決するための手段】
【０００５】
請求項１に記載の発明のズボン裾防護スリッパ１、１１、２１、３１は、汎用スリッパ２、１２、２２、３２の前面カバー２ａ、１２ａ、２２ａ、３２ａに飛び散った小便の飛散箇所３にズボン裾４の接触を防止するように形成されたズボン裾防護壁５、１５、２５、３５を備えたことを特徴とする。
【０００６】
請求項２に記載の発明は、請求項１に記載のズボン裾防護スリッパ１、１１、２１、３１であって、前記ズボン裾防護壁５、１５、２５、３５は、前記汎用スリッパ２、１２、２２、３２の前面カバー２ａ、１２ａ、２２ａ、３２ａの甲側の端面２ａａ、１２ａａ、２２ａａ、３２ａａから上方へ立設されていることを特徴とする。
【０００７】
請求項３に記載の発明は、請求項１に記載のズボン裾防護スリッパ３１であって、前記ズボン裾防護壁３５は、前記汎用スリッパ３２の前面カバー３２ａの甲側の端面３２ａａから上方へ立設され、前記前面カバー３２ａと一体で形成されていることを特徴とする。
【発明の効果】
【０００８】
請求項１に係る発明によれば、ズボン裾防護スリッパは、汎用スリッパの前面カバーに飛び散った小便の飛散箇所にズボン裾が接触するのを防止するように形成されたズボン裾防護壁を備えたことによって、ズボン裾がズボン裾防護壁を越えてスリッパの前面カバー上に触れることがないため、他人の小便などが付着したスリッパをあとで使用する人のズボン裾に触れることがなく、共通使用による衛生面がさらに考慮されたスリッパを提供することができる。
【０００９】
請求項２に係る発明によれば、ズボン裾防護壁は、汎用スリッパの前面カバーの端面から上方へ立設されていることによって、ズボン裾がズボン裾防護壁を越えてスリッパの前面カバー上に触れるのを容易に防ぐことができ、他人の小便などが付着したスリッパをあとで使用する人のズボン裾に触れることがなく、共通使用による衛生面がさらに考慮されたスリッパを提供することができる。
【００１０】
請求項３に係る発明によれば、ズボン裾防護壁は、汎用スリッパの前面カバーと一体で形成されていることによって、さらにコストや工期を低減させることができると共に、他人の小便などが付着したスリッパをあとで使用する人のズボン裾に触れることがなく、共通使用による衛生面がさらに考慮されたスリッパを提供することができる。
【図面の簡単な説明】
【００１１】
【図１】本発明の実施形態に係るズボン裾防護スリッパの概略を示し、（ａ）はタイプＡスリッパの斜視図、（ｂ）はタイプＡスリッパの側面図、（ｃ）は（ｂ）に示すＡ矢視図である。
【図２】本発明の実施形態に係るズボン裾防護スリッパの動作を説明するための概略を示し、（ａ）はスリッパ挿着前のタイプＡスリッパの斜視図、（ｂ）はスリッパ挿着後のタイプＡスリッパの斜視図である。
【図３】本発明のその他の実施形態に係るズボン裾防護スリッパの概略を示し、（ａ）はタイプＢスリッパの斜視図、（ｂ）はタイプＣスリッパの斜視図、（ｃ）はタイプＤスリッパの斜視図である。
【図４】本発明のその他の実施形態に係るズボン裾防護スリッパの動作を説明するための概略を示し、（ａ）はタイプＢスリッパの斜視図、（ｂ）はタイプＣスリッパの斜視図、（ｃ）はタイプＤスリッパの斜視図である。
【図５】本発明のその他の実施形態に係るタイプＤスリッパの詳細を示し、（ａ）はタイプＤスリッパの斜視図、（ｂ）はタイプＤスリッパの側面図、（ｃ）は（ｂ）に示すＢ矢視図である。
【図６】従来の実施形態を示すトイレ用の汎用スリッパの概略斜視図である。
【発明を実施するための形態】
【００１２】
以下、本発明の実施形態に係るズボン裾防護スリッパを図面を参照して詳細に説明する。
図１は、本発明の実施形態に係るズボン裾防護スリッパの概略を示し、（ａ）はタイプＡスリッパの斜視図、（ｂ）はタイプＡスリッパの側面図、（ｃ）は（ｂ）に示すＡ矢視図である。
図１の（ａ）（ｂ）（ｃ）に示すように、ズボン裾防護スリッパ１は、汎用スリッパ２の前面カバー２ａに飛び散った小便の飛散箇所３にズボン裾４の接触を防止するように形成されたズボン裾防護壁５を備えている。
このズボン裾防護壁５は、ストッパ５ａと取り付け部５ｂを備え、汎用スリッパ２は中敷２ｂａおよび底板２ｂｂを備えた足置き部２ｂを有している。
ストッパ５ａは汎用スリッパ２の前面カバー２ａの足の甲側の端面２ａａから前面カバー２ａに対して上方へ垂直になるように取り付けられている。この取り付けには、前面カバー２ａに設けられた取り付け部５ｂにマジックテープ（Ｒ）などで貼り付けている。この取り付けにはクリップなどで挟んで取り付けても構わないし、縫い付けても構わない。また、その他の方法でも構わない。
ストッパ５ａの高さは５ｃｍくらいが適当であるが適宜変更しても構わない。また、ストッパ５ａの幅はスリッパの幅と同程度で構わないが、幅５ｃｍ程度でも構わない。ストッパ５ａの厚さは１〜３ｍｍが適当である。
また、タイプＡスリッパに示すズボン裾防護壁５は、一枚の板状で形成されているように説明したが、ブロック状でも適宜設定可能である。さらに、ストッパ５ａの形状は汎用スリッパ２のデザインに合った色や形状、および模様を装飾しても構わない。
このように、ズボン裾防護スリッパは、汎用スリッパの前面カバーに飛び散った小便の飛散箇所にズボン裾が接触するのを防止するように形成されたズボン裾防護壁を備えたことよって、ズボン裾がズボン裾防護壁を越えてスリッパの前面カバー上に触れることがないため、他人の小便などが付着したスリッパをあとで使用する人のズボン裾に触れることがなく、共通使用による衛生面がさらに考慮されたスリッパを提供することができる。
【００１３】
次に、本発明の実施形態に係るズボン裾防護スリッパの動作を説明する。
図２は、本発明の実施形態に係るズボン裾防護スリッパの動作を説明するための概略を示し、（ａ）はスリッパ挿着前のタイプＡスリッパの斜視図、（ｂ）はスリッパ挿着後のタイプＡスリッパの斜視図である。
図２の（ａ）に示すように、通常、トイレ用のスリッパでは注意して見ると汎用スリッパ２の前面カバーの上部には小便が飛散している。人が足６を汎用スリッパ２に挿入して履けばズボン裾４は前面カバー２ａの小便の飛散箇所３に触れることは必定である。飛散箇所３は足元でありよく見えてないかも知れないが目に見えればやはり気になるものである。
図２の（ｂ）に示すように、汎用スリッパ２にはズボン裾防護壁５が設けられているのでズボン裾４はそこで前進を阻止されて、飛散箇所３に触れることを避けることができる。
このように、タイプＡスリッパに示すズボン裾防護壁のストッパは、一枚の板状で形成されており、ズボン裾防護壁が設けられているので、ズボン裾はスリッパの前面カバーの上部へ迫り出すことはなく、共通使用による衛生面をさらに考慮することができた。
【００１４】
次に、本発明のその他の実施形態について、図面を参照して詳細に説明する。
図３は、本発明の実施形態に係るズボン裾防護スリッパの概略を示し、（ａ）はタイプＢスリッパの斜視図、（ｂ）はタイプＣスリッパの斜視図、（ｃ）はタイプＤスリッパの斜視図である。
尚、図３において、図１および図２と同様の構成については同符合を付し、その説明を省略する。
図３の（ａ）に示すように、タイプＢスリッパに示すズボン裾防護スリッパ１１は、汎用スリッパ１２の前面カバー１２ａに飛び散った小便の飛散箇所３にズボン裾４の接触を防止するように形成されたズボン裾防護壁１５を備えている。
このズボン裾防護スリッパ１１は、動物の耳のような２個の耳状のストッパ１５ａ、１５ａを備えている。２個の耳状のストッパ１５ａとしたが、少なくとも２個で形成されていれば、３個でも数個でも鋸歯状に多数設けても構わない。また、ズボン裾防護スリッパ１５はマジックテープなどで固定しているが、この取り付けにはクリップなどで挟んで取り付けても構わないし、縫い付けても構わない。また、その他の方法でも構わない。
【００１５】
次に、図３の（ｂ）に示すように、タイプＣスリッパに示すズボン裾防護スリッパ２１は、汎用スリッパ２２に備えられたたすき状の前面カバー２２ａに飛び散った小便の飛散箇所３にズボン裾４の接触を防止するように形成されたズボン裾防護壁２５を備えている。
このズボン裾防護スリッパ２１は、図３の（ａ）に示すストッパ１５ａと同様に動物の耳のような２個の耳状のストッパ２５ａ、２５ａを備えている。
【００１６】
また、図３の（ｃ）に示すように、タイプＤスリッパに示すズボン裾防護スリッパ３１は、汎用スリッパ３２の前面カバー３２ａに飛び散った小便の飛散箇所３にズボン裾４の接触を防止するように形成されたズボン裾防護壁３５を備えている。
このズボン裾防護スリッパ３１は、図１の（ａ）に示すストッパ５ａと同様の板状に形成されている。
このタイプＤスリッパとタイプＡスリッパの異なる点は、タイプＡスリッパの実施形態ではズボン裾防護壁を汎用スリッパに取り付けて形成したが、タイプＤスリッパでは汎用スリッパの前面カバーと一体で形成している点である。このタイプＤスリッパについては、図５の図面を参照してあとで詳細に説明する。
【００１７】
次に、本発明のその他の実施形態に係るズボン裾防護スリッパの動作を説明する。
図４は、本発明のその他の実施形態に係るズボン裾防護スリッパの動作を説明するための概略を示し、（ａ）はタイプＢスリッパの斜視図、（ｂ）はタイプＣスリッパの斜視図、（ｃ）はタイプＤスリッパの斜視図である。
図４の（ａ）（ｂ）（ｃ）に示すように、ズボン裾防護壁１５、２５、３５は、ズボン裾４が汎用スリッパ１２、２２、３２の前面カバー１２ａ、２２ａ、３２ａ上に飛散した小便の飛散箇所３に接触することがないようにズボン裾４の進行を阻止してズボン裾４が汚れないように防護している。
【００１８】
次に、前記したその他の実施形態に係るズボン裾防護スリッパのタイプＤスリッパについて、図面を参照して詳細に説明する。
図５は、本発明のその他の実施形態に係るタイプＤスリッパの概略を示し、（ａ）はタイプＤスリッパの斜視図、（ｂ）はタイプＤスリッパの側面図、（ｃ）は（ｂ）に示すＢ矢視図である。
タイプＤスリッパとタイプＡスリッパが異なる点は、タイプＡスリッパの実施形態ではズボン裾防護壁が汎用スリッパに取り付けて形成されているが、タイプＤスリッパでは汎用スリッパの前面カバーと一体で形成されている点である。
尚、図５において、図１および図２と同様の構成については同符合を付し、その説明を省略する。
図５の（ａ）（ｂ）（ｃ）に示すように、このズボン裾防護壁３５は、ストッパ３５ａと取り付け部３５ｂを備え、汎用スリッパ３２は中敷３２ｂａおよび底板３２ｂｂを備えた足置き部３２ｂを有している。
ズボン裾防護壁３５のストッパ３５ａは汎用スリッパ３２の前面カバー３２ａの足の甲側の端面３２ａａから前面カバー３２ａに対して上方へ垂直になるように前面カバー３２ａと一体で形成されている。
このように、ズボン裾防護スリッパは、汎用スリッパの前面カバーに飛び散った小便の飛散箇所にズボン裾が接触するのを防止するように形成されたズボン裾防護壁を備えたことよって、ズボン裾がズボン裾防護壁を越えてスリッパの前面カバー上に触れることがないため、他人の小便などが付着したスリッパをあとで使用する人のズボン裾に触れることがなく、共通使用による衛生面がさらに考慮されたスリッパを提供することができる。
なお、その他の実施形態のタイプＢスリッパ、およびタイプＣスリッパにおいてもズボン裾防護壁は前面カバーと一体で形成しても構わない。
【００１９】
以上、好ましい実施の形態を説明したが、本発明は前記実施の形態に限定されるものではなく、本発明の要旨を逸脱することの無い範囲内において適宜変更が可能なものである。例えば、汎用スリッパに関しては、中敷などの部位はスリッパによって用いられないものなど様々あるが、基本的な構成を有するスリッパであれば、いずれのスリッパでも構わない。また、マジックテープを用いて説明したがクリップでも構わない。ズボン裾防護壁はタイプAを用いてスリッパカバーと一体化構成をしてタイプＤスリッパを説明したが、タイプＢスリッパやタイプＣスリッパを用いて一体化をしても構わない。
【産業上の利用可能性】
【００２０】
本発明は、トイレ用スリッパに適用され、前面カバーに小便が飛散するような場合でも清潔・安心なスリッパとして、トイレ用スリッパの履き心地の向上、汚れの清掃、共通使用による衛生面をさらに考慮したスリッパに適用される。
【符号の説明】
【００２１】
１、１１、２１、３１  ズボン裾防護スリッパ
２、１２、２２、３２  汎用スリッパ
２ａ、１２ａ、２２ａ、３２ａ  前面カバー
２ａａ、１２ａａ、２２ａａ、３２ａａ  端面
２ｂ、１２ｂ、２２ｂ、３２ｂ  足置き部
２ｂａ、１２ｂａ、２２ｂａ、３２ｂａ  中敷
２ｂｂ、１２ｂｂ、２２ｂｂ、３２ｂｂ  底板
３  小便の飛散箇所
４  ズボン裾
５、１５、２５、３５  ズボン裾防護壁
５ａ、１５ａ、２５ａ、３５ａ  ストッパ
５ｂ、１５ｂ、２５ｂ、３５ｂ  取り付け部
【図１】
2019017710.tif 000003
【図２】
2019017710.tif 000004
【図３】
2019017710.tif 000005
【図４】
2019017710.tif 000006
【図５】
2019017710.tif 000007
【図６】
2019017710.tif 000008
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
汎用スリッパ（２、１２、２２、３２）の前面カバー（２ａ、１２ａ、２２ａ、３２ａ）に飛び散った小便の飛散箇所（３）にズボン裾（４）の接触を防止するように形成されたズボン裾防護壁（５、１５、２５、３５）を備えたズボン裾防護スリッパ（１、１１、２１、３１）において、
前記ズボン裾防護壁（５、１５、２５、３５）は、前記汎用スリッパ（２、１２、２２、３２）の前面カバー（２ａ、１２ａ、２２ａ、３２ａ）の甲側の端面（２ａａ、１２ａａ、２２ａａ、３２ａａ）から上方へ３〜５ｃｍの高さに立設されていることを特徴とするズボン裾防護スリッパ（１、１１、２１、３１）。
【請求項２】
前記ズボン裾防護壁（３５）は、前記汎用スリッパ（３２）の前面カバー（３２ａ）の甲側の端面（３２ａａ）から上方へ立設され、前記前面カバー（３２ａ）と一体で形成されていることを特徴とする請求項１に記載のズボン裾防護スリッパ（３１）。
【手続補正２】
【補正対象書類名】明細書
【補正対象項目名】０００５
【補正方法】変更
【補正の内容】
【０００５】
請求項１に記載の発明のズボン裾防護スリッパ１、１１、２１、３１は、汎用スリッパ２、１２、２２、３２の前面カバー２ａ、１２ａ、２２ａ、３２ａに飛び散った小便の飛散箇所３にズボン裾４の接触を防止するように形成されたズボン裾防護壁５、１５、２５、３５を備えたズボン裾防護スリッパ１、１１、２１、３１において、
前記ズボン裾防護壁５、１５、２５、３５は、前記汎用スリッパ２、１２、２２、３２の前面カバー２ａ、１２ａ、２２ａ、３２ａの甲側の端面２ａａ、１２ａａ、２２ａａ、３２ａａから上方へ３〜５ｃｍの高さに立設されていることを特徴とする。

【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
請求項２に記載の発明は、請求項１に記載のズボン裾防護スリッパ３１であって、前記ズボン裾防護壁３５は、前記汎用スリッパ３２の前面カバー３２ａの甲側の端面３２ａａから上方へ立設され、前記前面カバー３２ａと一体で形成されていることを特徴とする。
【手続補正５】
【補正対象書類名】明細書
【補正対象項目名】０００８
【補正方法】変更
【補正の内容】
【０００８】
請求項１に係る発明によれば、ズボン裾防護スリッパは、汎用スリッパの前面カバーに飛び散った小便の飛散箇所にズボン裾が接触するのを防止するように、汎用スリッパの前面カバーの端面から上方へ立設されたズボン裾防護壁を備えたことによって、ズボン裾がズボン裾防護壁を越えてスリッパの前面カバー上に触れることがないため、他人の小便などが付着したスリッパをあとで使用する人のズボン裾に触れることがなく、共通使用による衛生面がさらに考慮されたスリッパを提供することができる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項２に係る発明によれば、ズボン裾防護壁は、汎用スリッパの前面カバーと一体で形成されていることによって、さらにコストや工期を低減させることができると共に、他人の小便などが付着したスリッパをあとで使用する人のズボン裾に触れることがなく、共通使用による衛生面がさらに考慮されたスリッパを提供することができる。